(57)【特許請求の範囲】
【請求項１】
施工面が傾斜面を含む場合や、フェンスを張設するための支柱部材が等間隔に立設できない所でも、容易にかつ迅速に施工できるフェンス構造体であって、
施工面に所要の間隔で立設してある複数の支柱部材(5)と、当該支柱部材(5)に連続的に取着されている複数のフェンスを有し、
上記各フェンスは、隣接するフェンスと端部側を重ねた状態で、施工面と本質的に平行になるようにして上記支柱部材(5)に取着されており、
フェンスは、垂直方向にほぼ平行に並設してある所要数のフェンス部(10)を備え、フェンス部(10)は線材で形成してあり、フェンス部(10)の下部連結部(12)より下部には下部突出部(13)が設けられており、フェンスは下部突出部(13)を地中に埋設して施工しており、しかも隣接するフェンスの端部側の重なり合った部分で、かつ、フェンス部(10)の水平方向の上部連結部(11)と下部連結部(12)との間に設けられた上下２本の水平方向の中間連結部(14)、(14)における二本の横線材（10b）、（10b）の上下中間位置を、２枚のプレート(73)、(73)で、挟み込むと共に、支柱部材(5)をＵボルト(71)の内側部分に配置した状態で、Ｕボルト(71)の先端のネジ部(710)、(710)をプレート(73)、(73)に挿通せしめてナット(72)、(72)と螺合し、更には、Ｕボルト(71)の先端のネジ部(710)側に位置するプレート(73)は、フェンスの端部側の縦線材(10a)に当接させると共に、Ｕボルト(71)の内側部分に位置するプレート(73)は、フェンスの端部側の縦線材（10a）に当接させることにより隣接するフェンスの端部側の重なり合った部分を支柱部材(5)に取着することを特徴とするフェンス構造体。
【発明の詳細な説明】
【０００１】
【発明の属する技術分野】
本発明はフェンス構造体に係り、更に詳しくは、施工面が傾斜面を含む場合であったり、フェンスを張設するための支柱部材が等間隔に立設できない所であったとしても、、容易にかつ迅速に施工できるものに関する。
【０００２】
【従来技術】
従来より、例えば高速道路内への動物の侵入防止や、歩道と車道を区画するための境界、あるいは建築現場や工場等の防護壁として、各種フェンス構造体が使用されている。この種のフェンス構造体の施工方法としては、施工現場に所要の間隔で立設してある支柱部材にフェンスの両端部を固定して張設していくのが一般的である。
【０００３】
ところで、特に山間地などの施工現場では、施工面が平坦な所ばかりではなく傾斜面を含む場合も多い。通常、施工面が傾斜面を含む場合には、平坦面で使用するような全体形状が長方形をしたフェンスではなく、傾斜面の勾配に合致した平行四辺形状のフェンスを使用している。即ち、例えば図７の傾斜面Ｅに示すように、傾斜面Ｅの勾配に応じて角度の異なる平行四辺形状のフェンス９００を、例えば１０°用，２０°用，３０°用・・・と数種類用意し、フェンス９００の両端部を支柱部材５の側面に合わせて隙間なく固定していた。
【０００４】
また、通常、平坦面にフェンス構造体を施工する場合には、等間隔に立設した支柱部材５に長方形のフェンスを連続的に張設していく。しかし、例えば図７に示す平坦面Ｆのように、地中に岩や木根などの障害物３が埋まっている場合などでは、その障害物３を避けて支柱部材５を立設しなければならないので、支柱部材５の間隔が不規則になる。このような場合では、支柱部材５の間隔に合致した長さを有するフェンス９１０を製造する必要があった。
【０００５】
【発明が解決しようとする課題】
しかしながら、上記したような従来のフェンス構造体の施工方法では次のような課題があった。
即ち、図７に示すように傾斜面Ｅにおいては、傾斜面Ｅの勾配と合致した角度の平行四辺形状のフェンス９００が必要であるため、施工前には傾斜面Ｅの勾配を正確に測量し、フェンス９００の長さと支柱部材５との配置バランスを考慮しながら、フェンス構造体の施工手順を綿密に計画する必要があった。
【０００６】
また、傾斜面の勾配が一定していない場合では、角度の異なる平行四辺形状のフェンス９００を何種類も用意する必要があるので、施工現場までの梱包や施工現場でのフェンス９００の管理に手間がかかっていた。
更に、施工時には、角度の異なる数種類のフェンス９００の中から傾斜面の勾配に合致したフェンス９００を正確に割り当てて張設しなければならないので、平坦面に長方形のフェンスを連続的に張設する場合と比べて作業効率が悪かった。
【０００７】
また、図７示した施工面Ｆのように、地中に岩や木根などの障害物３が埋まっていて支柱部材５を等間隔で立設することができない場合では、支柱部材５の間隔と合致する長さのフェンス９１０を別に製造する必要があったため、フェンス構造体の施工に手間がかかっていた。
【０００８】
（発明の目的）
そこで本発明の目的は、施工面が傾斜面を含む場合であっても、施工前に正確な測量作業を行う必要がなく、容易にかつ迅速に施工できるフェンス構造体を提供することにある。
また、本発明の他の目的は、施工面が支柱部材を等間隔で立設できない所であっても、容易にかつ迅速に施工できるフェンス構造体を提供することにある。
【０００９】
【課題を解決するための手段】
上記目的を達成するために講じた本発明の手段は次のとおりである。すなわち、本件発明は、施工面が傾斜面を含む場合や、フェンスを張設するための支柱部材が等間隔に立設できない所でも、容易にかつ迅速に施工できるフェンス構造体であって、施工面に所要の間隔で立設してある複数の支柱部材と、当該支柱部材に連続的に取着されている複数のフェンスを有し、上記各フェンスは、隣接するフェンスと端部側を重ねた状態で、施工面と本質的に平行になるようにして上記支柱部材に取着されており、フェンスは、垂直方向にほぼ平行に並設してある所要数のフェンス部を備え、フェンス部は線材で形成してあり、フェンス部の下部連結部より下部には下部突出部が設けられており、フェンスは下部突出部を地中に埋設して施工しており、しかも隣接するフェンスの端部側の重なり合った部分で、かつ、フェンス部の水平方向の上部連結部と下部連結部との間に設けられた上下２本の水平方向の中間連結部における二本の横線材の上下中間位置を、２枚のプレートで、挟み込むと共に、支柱部材をＵボルトの内側部分に配置した状態で、Ｕボルトの先端のネジ部をプレートに挿通せしめてナットと螺合し、更には、Ｕボルトの先端のネジ部側に位置するプレートは、フェンスの端部側の縦線材に当接させると共に、Ｕボルトの内側部分に位置するプレートは、フェンスの端部側の縦線材に当接させることにより隣接するフェンスの端部側の重なり合った部分を支柱部材に取着することを特徴とするフェンス構造体を提供せんとするものである。
【００１１】
（作  用）
本発明に係るフェンス構造体を施工するにあたっては、各フェンスを隣接するフェンスと端部側を重ねた状態で、施工面と本質的に平行になるようにして支柱部材に取着させていく。即ち、本発明によれば、従来の施工方法のように、フェンスの両端部を支柱部材の側面部に隙間なく合わせて張設するようなことはせず、フェンスの両端部が隣接するフェンスと重なり合うようにして張設する。
【００１２】
即ち、施工面に傾斜面を含むものにあっては、隣接するフェンスとの重なり部分を適宜調節しながら、フェンスを傾斜面と本質的に平行になるように傾斜させて支柱部材に張設していく。隣接するフェンスの端部側を重合して支柱部材に張設するに際しては、施工面が傾斜面を含む場合や、フェンスを張設するための支柱部材が等間隔に立設できない所でも、容易にかつ迅速に施工できるフェンス構造体であって、施工面に所要の間隔で立設してある複数の支柱部材と、当該支柱部材に連続的に取着されている複数のフェンスを有し、上記各フェンスは、隣接するフェンスと端部側を重ねた状態で、施工面と本質的に平行になるようにして上記支柱部材に取着されており、フェンスは、垂直方向にほぼ平行に並設してある所要数のフェンス部を備え、フェンス部は線材で形成してあり、フェンス部の下部連結部より下部には下部突出部が設けられており、フェンスは下部突出部を地中に埋設して施工しており、しかもフェンスの端部側の重なり合った部分は、取着金具におけるＵボルトとプレートとボルト、ナットにより支柱部材に取着されていると共に、支柱部材はＵボルトの内側部分に配置した状態となるように構成して行う。
【００１３】
また、隣接するフェンスの端部側の重なり合った部分は、２枚のプレートで、挟み込むと共に、支柱部材をＵボルトの内側部分に配置した状態で、Ｕボルトの先端のネジ部をプレートに挿通せしめてナットと螺合することにより隣接するフェンスの端部側の重なり合った部分を支柱部材に取着することにより行なう。
したがって、傾斜面の勾配と合致した平行四辺形のフェンスを別に製造する必要がなく、平坦面に使用するものと同じ本質的に長方形または正方形のフェンス、あるいは傾斜面の勾配と異なる角度を有する平行四辺形のフェンスを使用することができる。
【００１４】
これにより、施工前に傾斜面の勾配を正確に測量しなくても、フェンス構造体を容易にかつ迅速に施工することができる。また、同一形状のフェンスでフェンス構造体を施工することができるので、フェンスの施工現場までの梱包や施工現場でのフェンスの管理に手間がかからない。
【００１５】
また、支柱部材の立設箇所に例えば岩や木根などの障害物が埋まっていて、支柱部材を等間隔で立設することができない場合にあっては、支柱部材の間隔よりも長いフェンスを使用し、隣接するフェンスと端部側を重ねた状態で支柱部材に取着することにより、従来のように支柱部材の間隔と合致した長さのフェンスを別に製造しなくてもよい。
【００１６】
【発明の実施の形態】
本発明を図面に示した実施の形態に基づき更に詳細に説明する。
図１は本発明に係るフェンス構造体の一実施の形態を示す概略説明図、図２は図１のフェンス構造体の点線で囲んだ部分を示す要部拡大説明図、図３はフェンス構造体の構成部材である防獣フェンスの実施の形態を示す説明図、図４は図２におけるＰ部分の拡大説明図で、そのうちの図４（ａ）は取着金具によって防獣フェンスが支柱部材に取着されている状態を正面側から見た説明図、図４（ｂ）は図４（ａ）のＩ−Ｉ断面図である。
【００１７】
まず、図３を参照して、フェンス構造体を構成する防獣フェンス１００について説明する。
防獣フェンス１００は、例えば山間部などの高速道路沿いなどに張設して動物の侵入を防止するものである。防獣フェンス１００はその全体が長方形であり、動物が飛び越えることができないような高さに適宜設計してある。
【００１８】
防獣フェンス１００は、動物が通過できない４０ｍｍ隙間の幅を以て、垂直方向にほぼ平行に並設してある所要数のフェンス部１０・・・を備えている。フェンス部１０・・・は線径が４ｍｍの鉄製の複数本の縦線材(10a)で形成してあり、キツネやタヌキ等の動物が衝突しても損傷や変形は起こりにくく、且つよじ登ることもできない太さに設定してある。
【００１９】
フェンス部１０・・・の上部側には上部連結部１１が、フェンス部１０・・・の下部側には下部連結部１２がそれぞれ設けてある。上部連結部１１及び下部連結部１２は互いに二本の鉄製の線材で構成されている。上部連結部１１と下部連結部１２はそれぞれ水平方向に設けてあり、フェンス部１０・・・をそれぞれ連結している。フェンス部１０・・・の下部連結部１２より下部には下部突出部１３が設けられており、下方に所要長さ突出している。フェンス部１０・・・を連結する上部連結部１１と下部連結部１２との間には、中間連結部１４・・・が水平方向に等間隔に２箇所設けてある。中間連結部１４は、それぞれ二本の鉄製の横線材(10b)で構成されている。
【００２０】
次に、図１及び図２を参照して、防獣フェンス１００を用いて施工されたフェンス構造体１について説明する。なお、本実施の形態では、勾配が一定していない傾斜面Ａと、地中に例えば岩などの障害物３が埋まっている平坦面Ｂにフェンス構造体１を施工する場合を例にとって説明している。
【００２１】
フェンス構造体１は、所要の間隔で鉛直方向に立設してある複数の支柱部材５と、この支柱部材５に連続的に取着されている複数の防獣フェンス１００を有している。防獣フェンス１００が張設してある施工面において傾斜面Ａと平坦面Ｂ以外の箇所では、防獣フェンス１００はその両端部を支柱部材５の側面部に隙間なく合わせて張設してある。
【００２２】
また、勾配が一定していない傾斜面Ａでは、傾斜面Ａの施工長さに応じて４本の支柱部材５が一定の間隔で立設してある。そして、その支柱部材５には３枚の防獣フェンス１００が隣接する防獣フェンス１００と端部側を重ねた状態で、傾斜面Ａと本質的に平行になるように傾斜して取着されている。
【００２３】
更に、地中に障害物３が埋まっている平坦面Ｂでは、支柱部材５は障害物３を避けるようにして立設されており、隣り合う支柱部材５との間隔が不規則になっている。そして、支柱部材５の間隔が狭い箇所に張設されている防獣フェンス１００は、隣接する左側の防獣フェンス１００と端部側が重なり合っている。
【００２４】
なお、支柱部材５の下部側の周りはコンクリートで土台５０が形成してあり、支柱部材５を動かないようにしてある。
また、フェンス構造体１は、防獣フェンス１００・・・の下部突出部１３を地中に埋設して施工してあり、これにより地面を掘ることのできる動物であってもフェンス内へ侵入できないようにしてある。
【００２５】
更に、防獣フェンスは次に示す取着金具７によって支柱部材５に取着されている（図４参照）。
即ち、取着金具７はＵボルト７１及びナット７２，７２と２枚のプレート７３，７３によって構成されている。そして、２枚のプレート７３，７３が支柱部材５の近傍に位置し隣接する防獣フェンス１００，１００の適宜箇所のフェンス部１０・・・を挟み込んでいる。このフェンス部１０・・・の一部と支柱部材５とがＵボルト７１の内側部分に配置されるようにして、Ｕボルト７１のネジ部７１０，７１０をプレート７３，７３の貫通孔７３０，７３０に挿通し、ネジ部７１０，７１０にナット７２，７２を螺合している。
なお、取着金具７は上記したものに限定するものではなく、種々の形態のものを使用することができる。
【００２６】
（作  用）
図１及び図２を参照して本実施の形態の作用を説明する。
フェンス構造体１の施工面が傾斜面Ａである場合には、隣接する防獣フェンス１００との重なり部分を適宜調節しながら、防獣フェンス１００を傾斜面Ａと本質的に平行になるように傾斜させて支柱部材５に張設していく。したがって、傾斜面Ａの勾配と合致した平行四辺形状のフェンスを別に製造する必要がなく、平坦面に使用するものと同じ長方形の防獣フェンス１００を使用して張設することができる。
これにより、施工前に傾斜面Ａの勾配を正確に測量しなくても、フェンス構造体１を容易にかつ迅速に施工することができる。また、同一形状の防獣フェンス１００で平坦面と傾斜面の区別なくフェンス構造体１を施工することができるので、防獣フェンス１００の施工現場までの梱包や施工現場での防獣フェンス１００の管理に手間がかからない。
【００２７】
また、施工面Ｂのように支柱部材５を等間隔で立設することができない場合では、防獣フェンス１００を隣接する左側の防獣フェンス１００と端部側を重ねながら張設しており、従来の施工方法のように支柱部材５の間隔と合致した長さのフェンスを別に製造する必要がない。
【００２８】
図５は本発明に係るフェンス構造体の第２の実施の形態を示す概略説明図、図６はフェンス構造体を構成する防獣フェンスの他の実施の形態を示す説明図である。
なお、フェンス構造体１（図１参照）及び防獣フェンス１００（図３参照）と同一または同等箇所には同一の符号を付して示している。また、フェンス構造体１及び防獣フェンス１００で示してある箇所については、説明を省略し、主に相異点を説明する。
【００２９】
まず、図６を参照して、フェンス構造体２を構成する防獣フェンス２００について説明する。
防獣フェンス２００は、図６において右上がりに並設してある所要数のフェンス部２０・・・を備えている。フェンス部２０・・・の上部連結部１１及び下部連結部１２はフェンス部２０の並設方向と同様に図６において右上がりに傾斜して設けてあり、フェンス部２０・・・をそれぞれ連結している。上部連結部１１と下部連結部１２との間に設けてある中間連結部１４，１４は、上部連結部１１と下部連結部１２と同様、図６において右上がりに傾斜して設けてある。
【００３０】
なお、本実施の形態では、防獣フェンス２００の傾斜角度は２０°に設定してあるが、フェンス構造体２を施工する傾斜面の勾配に応じて、例えば１０°，３０°，４０°等に適宜設計される。
また、防獣フェンス２００はフェンス全体が右上がりに傾斜させて形成してあるが、施工現場に応じて左上がり傾斜させて形成することもできる。
【００３１】
次に、図５を参照して、図３及び図６で示す防獣フェンス１００，２００を用いて施工されたフェンス構造体２について説明する。
なお、本実施の形態では、勾配の急な傾斜面Ｃと、地中に例えば岩などの障害物３が埋まっている傾斜面Ｄにフェンス構造体２を施工する場合を例にとって説明する。
また、図１で示したフェンス構造体１と同一または同等箇所には同一の符号を付して示している。
【００３２】
防獣フェンス１００が張設してある施工面において、傾斜面Ｃと傾斜面Ｄ以外の箇所では、長方形の防獣フェンス１００がその両端部を支柱部材５の側面部に合わせて隙間なく張設してある。
【００３３】
また、勾配の急な傾斜面Ｃでは、傾斜面Ｃの施工長さに応じて４本の支柱部材５が一定の間隔で立設してある。そして、その支柱部材５には３枚の平行四辺形状の防獣フェンス２００が隣接するフェンスと端部側を重ねた状態で、傾斜面Ｃと本質的に平行になるように傾斜して取着されている。
【００３４】
更に、地中に障害物３が埋まっている傾斜面Ｄでは、支柱部材５は障害物３を避けるようにして立設してあるため、隣り合う支柱部材５との間隔が不規則になっている。そして、支柱部材５の間隔が狭い箇所には、平行四辺形状の防獣フェンス２００が隣接する右側の防獣フェンス２００と端部側を重ねながら張設してある。
【００３５】
（作  用）
図５を参照して本実施の形態の作用を説明する。なお、第１の実施の形態で示した作用のうち同様のものは省略する。
勾配の急な傾斜面Ｃにフェンス構造体を施工する場合では、長方形の防獣フェンス１００を傾けて張設するよりも、平行四辺形状の防獣フェンス２００を傾けて張設する方が水平線に対するフェンス部２０（図６参照）の傾斜角度が小さくて済む。これにより、防獣フェンス２００の重心が安定して、上下の取着金具７にかかる負荷が減少し、フェンス構造体２全体の強度が向上する。
【００３６】
また、傾斜面Ｄに示すように支柱部材５の間隔が狭くても、防獣フェンス２００を隣接する右側の防獣フェンス２００と重ねながら張設すれば、支柱部材５の間隔と合致した長さのフェンスを別に製造する必要がない。したがって、傾斜面Ｃに使用する防獣フェンス２００と同じフェンスをそのまま使用することができる。
【００３７】
なお、本明細書で使用している用語と表現はあくまで説明上のものであって、限定的なものではなく、上記用語、表現と等価の用語、表現を除外するものではない。また、本発明は図示の実施の形態に限定されるものではなく、技術思想の範囲内において種々の変形が可能である。
【００３８】
【発明の効果】
本発明は上記構成を備え、次の効果を有する。
（ａ）本発明に係るフェンス構造体を施工するにあたっては、従来の施工方法のようにフェンスの両端部を支柱部材の側面部に合わせて隙間なく張設するようなことはせず、フェンスの両端部を隣接するフェンスと重なり合うようにして支柱部材に張設し、隣接するフェンスの端部側を重合して支柱部材に張設するに際しては、施工面が傾斜面を含む場合や、フェンスを張設するための支柱部材が等間隔に立設できない所でも、容易にかつ迅速に施工できるフェンス構造体であって、施工面に所要の間隔で立設してある複数の支柱部材と、当該支柱部材に連続的に取着されている複数のフェンスを有し、上記各フェンスは、隣接するフェンスと端部側を重ねた状態で、施工面と本質的に平行になるようにして上記支柱部材に取着されており、フェンスは、垂直方向にほぼ平行に並設してある所要数のフェンス部を備え、フェンス部は線材で形成してあり、フェンス部の下部連結部より下部には下部突出部が設けられており、フェンスは下部突出部を地中に埋設して施工しており、しかも隣接するフェンスの端部側の重なり合った部分で、かつ、フェンス部の水平方向の上部連結部と下部連結部との間に設けられた上下２本の水平方向の中間連結部における二本の横線材の上下中間位置を、２枚のプレートで、挟み込むと共に、支柱部材をＵボルトの内側部分に配置した状態で、Ｕボルトの先端のネジ部をプレートに挿通せしめてナットと螺合し、更には、Ｕボルトの先端のネジ部側に位置するプレートは、フェンスの端部側の縦線材に当接させると共に、Ｕボルトの内側部分に位置するプレートは、フェンスの端部側の横線材に当接させることにより隣接するフェンスの端部側の重なり合った部分を支柱部材に取着して行う。したがって、施工面に傾斜面を含むものにあっては、傾斜面の勾配と合致した平行四辺形のフェンスを別に製造する必要がなく、平坦面に使用するものと同じ本質的に長方形または正方形のフェンス、あるいは傾斜面の勾配と異なる角度を有する平行四辺形のフェンスを使用して張設することができる。これにより、施工前に傾斜面の勾配を正確に測量しなくても、フェンス構造体を容易にかつ迅速に施工することができる。また、同一形状のフェンスでフェンス構造体を施工することができるので、フェンスの施工現場までの梱包や施工現場でのフェンスの管理に手間がかからない。
【００３９】
（ｂ）支柱部材の立設箇所に例えば岩や木根などの障害物が埋まっていて、支柱部材を等間隔で立設することができない場合にあっては、支柱部材の間隔よりも長いフェンスを使用し、隣接するフェンスと端部側を重ねた状態で支柱部材に取着することにより、従来の施工方法のように支柱部材の間隔と合致した長さのフェンスを別に製造しなくてもよい。
【００４０】
【図面の簡単な説明】
【図１】  本発明に係るフェンス構造体の一実施の形態を示す概略説明図である。
【図２】  図１のフェンス構造体の点線で囲んだ部分を示す要部拡大説明図である。
【図３】フェンス構造体の構成部材である防獣フェンスの実施の形態を示す説明図である。
【図４】図２におけるＰ部分の拡大説明図で、そのうちの図４（ａ）は取着金具によって防獣フェンスが支柱部材に取着されている状態を正面側から見た説明図、図４（ｂ）は図４（ａ）のＩ−Ｉ断面図である。
【図５】本発明に係るフェンス構造体の第２の実施の形態を示す概略説明図である。
【図６】  フェンス構造体を構成する防獣フェンスの他の実施の形態を示す説明図である。
【図７】  従来のフェンス構造体を示す概略説明図である。
【符号の説明】
１      フェンス構造体
１００  防獣フェンス
１０    フェンス部
１１    上部連結部
１２    下部連結部
１３    下部突出部
１４    中間連結部
２      フェンス構造体
２００  防獣フェンス
２０    フェンス部
３      障害物
５      支柱部材
５０    土台
７      取着金具
７１    ボルト
７２    ナット
７３    プレート
７１０  ネジ部
７３０  貫通孔
Ａ，Ｃ，Ｄ  傾斜面
Ｂ  平坦面
【図１】
0003746654.tif 000002
【図２】
0003746654.tif 000003
【図３】
0003746654.tif 000004
【図４】
0003746654.tif 000005
【図５】
0003746654.tif 000006
【図６】
0003746654.tif 000007
【図７】
0003746654.tif 000008